(57)【特許請求の範囲】
【請求項１】
半開放状を成した樋状本体において、前記樋状本体の長手方向に沿った一方の上縁全長に凸条部を有し、且つ他方の上縁全長に凹条部を形成して軒樋とし、前記凹条部は拡開自在に弾性を有しているものであって、前記凸条部或いは前記凹条部には長手方向に沿って複数の溝が設けられ、軒樋相互を相対向せしめ、凸条部と凹条部を嵌合せしめてなる筒状竪樋。
【発明の詳細な説明】
【技術分野】
【０００１】
本発明は、筒状竪樋に関し、さらに詳細には、軒樋を相対向せしめ、凸条部と凹条部を嵌合せしめてなる筒状竪樋に関する。
【背景技術】
【０００２】
半開放状の樋状本体の長手方向に沿った一方の上縁全長に凸条部を形成し、且つ他方の上縁全長に凹条部を形成してなる軒樋を相対向せしめ、凸条部と凹条部を嵌合せしめてなる筒状竪樋は、特許文献１に示すごとく従来より知られている。
【先行技術文献】
【特許文献】
【０００３】
【特許文献１】特開２００５−３２０７８１号公報
【発明の概要】
【発明が解決しようとする課題】
【０００４】
ところが、特許文献１に示される筒状竪樋は、軒樋が長尺である為、凸条部と凹条部の嵌合が困難な場合があり、又、アルミニウム製である為に弾性に乏しく、この点からも凸条部と凹条部の嵌合が困難な場合がある。
【０００５】
そこで、本発明は、凸条部或いは凹条部に溝を形成すると共に、軒樋を合成樹脂で形成し弾性を保持せしめ、凸条部と凹条部の嵌合を容易に行えるものとし、筒状竪樋を容易に形成できるようにしたものである。
【課題を解決するための手段】
【０００６】
上記課題を解決するための請求項１に記載の発明は、半開放状を成した樋状本体において、前記樋状本体の長手方向に沿った一方の上縁全長に凸条部を有し、且つ他方の上縁全長に凹条部を形成して軒樋とし、前記凹条部は拡開自在に弾性を有しているものであって、前記凸条部或いは前記凹条部には長手方向に沿って複数の溝が設けられ、軒樋相互を相対向せしめ、凸条部と凹条部を嵌合せしめてなる筒状竪樋である。
【０００７】
本発明で採用する「樋状本体の一方の上縁全長に形成した凸条部、他方の上縁全長に形成した凹条部」は、軒樋相互を相対向せしめ凸条部と凹条部を嵌合せしめてなる筒状竪樋とするための連結部である。
【０００８】
この凸条部或いは凹条部の少なくともいずれか一方に溝を形成してなるもので、筒状竪樋を容易に形成することができるものである。
【０００９】
この場合、軒樋は、軒樋として使用することができるもので、軒樋で筒状竪樋を容易に形成することができることは、品種を少なくすることができる効果も有する。
【発明の効果】
【００１０】
本発明によれば、軒樋より筒状竪樋を容易に形成することができ、軒樋が軒樋として使用できるために品種を少なくする効果も有する。
【図面の簡単な説明】
【００１１】
【図１】本発明の実施形態に係る筒状竪樋を示す斜視図であり、（ａ）は分解状態、（ｂ）は組立状態である。
【図２】筒状竪樋を構成する軒樋を軒樋として用いる実施形態を示す斜視図であり、（ａ）は分解状態、（ｂ）は組立状態である。
【発明を実施するための形態】
【００１２】
以下では、本発明の筒状竪樋の実施形態について、図面を参照しながら詳細に説明する。なお、以下の説明は、実施形態の理解を容易にするためのものであり、これによって、本発明が制限して理解されるべきではない。
【００１３】
図１（ａ）に示す軒樋１０は、長尺状の雨樋である。軒樋１０は、合成樹脂製の樋状本体２と、凸条部５と、凹条部６とで構成されており、その断面は半開放状を成している。
【００１４】
凸条部５は、樋状本体２の長手方向に沿った一方の上縁３に設けられており、凹条部６は他方の上縁４に設けられている。なお、軒樋１０は合成樹脂製であることから、凹条部６は拡開自在に弾性を有している。
【００１５】
凸条部５及び凹条部６には、長手方向に沿って複数の溝７が設けられている。溝７は、凸条部５及び凹条部６に、所望する間隔に設けられている。換言すれば、凸条部５は、複数の溝７により、凸条片５ａ，５ｂ，５ｃ，５ｄ，５ｅ・・・（以下、凸条片５ａ等と称する）に区分されている。凹条部６も同様に、凹条片６ａ，６ｂ，６ｃ，６ｄ，６ｅ・・・（以下、凹条片６ａ等と称する）に区分されている。
【００１６】
２つの軒樋１０を用いて筒状竪樋１を構成する方法について説明する。
【００１７】
図１（ａ）に示すように、半開放状の２つの軒樋１０を、向き合うように配置させる。この時、上側に位置している軒樋１０は、下側に位置している軒樋１０と１８０度姿勢が回転している。つまり、上側に位置している軒樋１０が有する凸条部５と凹条部６とは、下側に位置している軒樋１０の凸条部５と凹条部６の位置と、左右反転する格好となる。
【００１８】
その結果、上側の凸条部５は、下側の凹条部６に対向している。同じく、上側の凹条部６は、下側の凸条部５に対向している。そして、軒樋１０同士を嵌め合わせると、図１（ｂ）に示す状態となる。図１（ｂ）では、２つの軒樋１０が、１つの筒状竪樋１を構成している。すなわち、軒樋１０は、軒樋と筒状竪樋等として使用可能である。
【００１９】
前述の通り、軒樋１０は凸条部５と凹条部６を有し、凸条部５と凹条部６とが各々溝７で区分されていることにより、軒樋１０の凹条部６のバネ性が大となり、例えば筒状竪樋１を容易に形成・分解することができる。
【００２０】
なお、溝７は、電動のこぎりやカッター等の切断刃を合わせ易い。つまり、軒樋１０の長さを調整する際に、溝７に切断刃を挿入することで、軒樋１０を容易に切断できる。すなわち、筒状竪樋１の長さの調整が容易である。
【００２１】
次に、筒状竪樋１を構成する軒樋１０を軒樋として用いる実施形態について説明する。
【００２２】
軒樋は屋根の軒先に設置され、屋根から流下する雨水を受ける役割を果たす。この為に、軒樋には落葉等の異物が侵入する恐れが大きいものである。落葉等の異物が軒樋内に侵入すると雨水の流れを妨げ、軒樋の排水能力を低下させ、軒樋より雨水が溢れる場合もある。
【００２３】
本発明の筒状竪樋１を構成する軒樋１０を軒樋として用いる場合、異物の軒樋内への侵入を防止する異物侵入防止部材２０を容易に取り付けることができる。
【００２４】
即ち、図２（ａ）に示す異物侵入防止部材２０は、長尺状の網部材である。異物侵入防止部材２０は、合成樹脂製の枠部２１を有している。枠部２１内には、網部２６が設けられている。枠部２１の長手方向の端部２２，２３には、それぞれ凹条部２４，凸条部２５が設けられている。なお、枠部２１は合成樹脂製であることから、凹条部２４は拡開自在に弾性を有している。
【００２５】
凹条部２４及び凸条部２５には、長手方向に沿って複数の溝２７が設けられている。溝２７は、前述の溝７と同じ間隔で、凹条部２４並びに凸条部２５に設けられている。
【００２６】
換言すれば、凹条部２４は、複数の溝２７により、凹条片２４ａ，２４ｂ，２４ｃ，２４ｄ，２４ｅ・・・（以下、凹条片２４ａ等と称する）に区分されている。凸条部２５も同様に、凸条片２５ａ，２５ｂ，２５ｃ，２５ｄ，２５ｅ・・・（以下、凸条片２５ａ等と称する）に区分されている。
【００２７】
なお、溝２７は溝７と同じ間隔であることから、異物侵入防止部材２０に設けられた凹条片２４ａ等及び凸条片２５ａ等の間隔は、前述の軒樋１０に設けられた凸状片５ａ等及び凹条片６ａ等の間隔と同じである。
【００２８】
図２（ｂ）は、軒樋１０に異物侵入防止部材２０が装着された状態を示している。軒樋１０の凸条部５及び凹条部６は、それぞれ異物侵入防止部材２０の凹条部２４及び凸条部２５と嵌合している。つまり、凸条片５ａ等は、凹条片２４ａ等に連結されている。一方、凹条片６ａ等は、凸条片２５ａ等に連結されている。凹条部６及び凹条部２４が拡開自在に弾性を有していることから、凸条片５ａ等と凹条片２４ａ等、並びに凹条片６ａ等と凸条片２５ａ等とは各々確実に連結されつつも、両者は容易に引き離すことが可能である。
【００２９】
前述の通り、軒樋１０は凸条部５と凹条部６を有し、凸条部５と凹条部６とが各々溝７で区分されていることにより、軒樋１０の凹条部６のバネ性が大となり、例えば異物侵入防止部材２０を容易に着脱することができる。
【００３０】
なお、凸条部５と凹条部６とは溝７で区分されていることから、例えば異物侵入防止部材２０を切断し、軒樋１０を部分的に覆うことも可能である。
【００３１】
また、異物侵入防止部材２０の代わりとして、切断した軒樋１０を用いて、軒樋１０を部分的に覆うことも可能である。
【符号の説明】
【００３２】
１    筒状竪樋
２    樋状本体
３，４    上縁
５    凸条部
６    凹条部
７    溝
１０    軒樋
【図１】
0005447329.tif 000002
【図２】
0005447329.tif 000003